(57)【特許請求の範囲】
【請求項１】
移動機宛に送信されたメールをメール蓄積装置と、該メール蓄積装置に移動機宛のメールを受信すると、当該移動機にメールの受信を通知する通知手段と、をメールサーバに備え、前記通知手段による通知に基づき、受信したメールを前記メール蓄積装置から取得する移動機メール取得手段を移動機に備える移動機のメールシステムにおいて、
前記メールサーバとインターネット経由で接続される通信装置は、前記メールサーバに蓄積される移動機宛のメールの取得要求を送信する取得要求送信手段と、前記メールの取得要求送信手段による要求に応じてメールサーバから送信されるメールに関する情報を取得する通信装置メール取得手段と、を備え、
前記メールサーバは、前記通信装置から送信される取得要求の受信に応じて、前記メール蓄積装置に蓄積されるメールに関する情報を送信する通信装置向けメール送信手段を備えることを特徴とするメールシステム。
【請求項２】
前記メールサーバは、前記移動機へのメールの送信、及び、前記通信装置へのメールに関する情報の送信の双方ともＨＴＴＰプロトコルに従って行うことを特徴とする請求項１に記載のメールシステム。
【請求項３】
前記メールの取得要求を送信した通信装置が前記メールを参照する権限を有するか否かの認証を行なう認証手段を、更に、含むことを特徴とする請求項１又は２に記載のメールシステム。
【請求項４】
前記通信装置へのメールに関する情報の送信に対応して通信料の課金を行なう課金手段を、更に、含むことを特徴とする請求項１〜３のいずれか１項に記載のメールシステム。
【請求項５】
請求項１〜４のいずれか１項に記載のメールシステムにおいて用いられるメールサーバであって、前記メールを蓄積するメール蓄積装置と、前記メールの受信を通知する通知手段と、前記通信装置にメールに関する情報を送信する通信装置向けメール送信手段と、を有することを特徴とするメールサーバ。
【請求項６】
請求項１〜４のいずれか１項に記載のメールシステムにおいて用いられるサーバであって、前記メールの取得要求を送信した通信装置が前記メールを参照する権限を有するか否かの認証を行なう認証手段、有することを特徴とする認証課金サーバ。
【請求項７】
前記通信装置へのメールに関する情報の送信に対応して通信料の課金を行なう課金手段を、更に、有することを特徴とする請求項６に記載の認証課金サーバ。
【請求項８】
請求項１〜４のいずれか１項に記載のメールシステムにおいて用いられる通信装置であって、前記メールサーバとインターネット経由で接続され、前記メールサーバに蓄積される移動機宛のメールの取得要求を送信する取得要求送信手段と、前記メールの取得要求送信手段による要求に応じてメールサーバから送信されるメールに関する情報を取得する通信装置メール取得手段と、を備えることを特徴とする通信装置。
【請求項９】
前記通信装置メール取得手段により取得したメールに関する情報を正常に参照することができるようにデータを変換する変換手段を、更に、含むことを特徴とする請求項８に記載の通信装置。
【請求項１０】
請求項１〜４のいずれか１項に記載のメールシステムにおいて用いられるプログラムであって、前記取得要求がなされたメールを前記通信装置において正常に参照することができるようにデータを変換する変換ステップを、含むことを特徴とするデータ変換プログラム。
【請求項１１】
前記変換ステップにおいては、前記移動機におけるメールの参照と同様に、前記通信装置においてメールを参照することができるようにデータを変換することを特徴とする請求項１０に記載のデータ変換プログラム。
【発明の詳細な説明】
【０００１】
【発明の属する技術分野】
本発明はメールシステム、メールサーバ、認証課金サーバ、通信装置、及び、データ変換プログラムに関し、特に移動パケット通信網におけるメールシステム、メールサーバ、認証課金サーバ、通信装置、及び、データ変換プログラムに関する。
【０００２】
【従来の技術】
従来の携帯電話メールサービスは、図８に示されるようなシステムにより実現されていた。同図に示されるように、携帯電話メールシステムは、携帯電話ＭＳと、基地局ＢＳと、ゲートウェイサーバＧＷと、を含んで構成されている。
ゲートウェイサーバＧＷは、携帯電話ＭＳから送信されるメールを受信し、宛先へ送信するとともに、携帯電話ＭＳ宛に送信されたメールを受信して携帯電話ＭＳに送信する携帯電話ＭＳのメールサーバとしての機能を有する。更に、ゲートウェイサーバＧＷは、移動パケット通信網内における通信のみでなく、インターネットＩＮＥＴに接続して通信する機能を有する。このため、インターネットメールを受信して、携帯電話ＭＳに送信するとともに、携帯電話ＭＳから送信されたメールをインターネットメールとして送信する機能も有する。この場合には、インターネットＩＮＥＴ又は移動パケット通信網においてメールを送受信するために必要なプロトコル変換処理を行なう。例えば、ゲートウェイサーバＧＷと携帯電話ＭＳとは、ＨＴＴＰ（Ｈｙｐｅｒｔｅｘｔ  Ｔｒａｎｓｆｅｒ  Ｐｒｏｔｏｃｏｌ）によって接続されるが、通常インターネットメールが送信される場合には、ＳＭＴＰ（Ｓｉｍｐｌｅ  Ｍａｉｌ  Ｔｒａｎｓｆｅｒ  Ｐｒｏｔｏｃｏｌ）が用いられる。このため、携帯電話ＭＳ宛のインターネットメールを受信した場合には、不要なヘッダを削除し、予め定められたマークアップ言語に従って必要なタグ付けを行う。
【０００３】
なお、このゲートウェイサーバＧＷと携帯電話ＭＳとをＨＴＴＰを用いて接続可能とすることにより、携帯電話ＭＳにおいては、ゲートウェイサーバＧＷを介して、インターネットＩＮＥＴ上のＷＥＢサーバとＨＴＴＰ通信を行なって、ＷＥＢページの閲覧等を行なうこともできる。
また、図９には、このようなシステムにおいて、携帯電話ＭＳ−１から携帯電話ＭＳ−２にメールが送信された場合の通信シーケンスが示されている。同図に示されているように、携帯電話ＭＳ−１から送信されたメールは、移動パケット通信網の交換機に中継されて、ゲートウェイサーバＧＷに送信され、送信先となる携帯電話ＭＳ−２に対応するメールボックスに蓄積される（ステップＳ３０１〜Ｓ３０３）。メールボックスへの蓄積が行なわれると、移動パケット通信網の仕組みにより、ゲートウェイサーバＧＷから携帯電話ＭＳ−２にメール着信通知がなされる（ステップＳ３０４〜Ｓ３０５）。メール着信通知を受けた携帯電話ＭＳ−２は、ゲートウェイサーバＧＷとＨＴＴＰを用いて通信し、メール取得要求を行なうことにより、メールを取得することができる（ステップＳ３０３０６〜Ｓ３０９）。携帯電話ＭＳでは、予め定められたマークアップ言語の文法に則り、メールを適切な方法で表示することができる。尚、ゲートウェイサーバＧＷに蓄積されたメールは、携帯電話ＭＳ−２からの応答信号によりメールの受信が確認されると、削除される（ステップＳ３１０〜Ｓ３１２）。
【０００４】
【発明が解決しようとする課題】
上述のように、携帯電話メールサービスにおいては、携帯電話ＭＳ間のメールの送受信だけでなく、インターネットメールの送受信を行なうことができる。しかも、移動パケット通信網独自の仕組みによってメールの受信が即時に通知され、コンピュータ等を立ち上げたりすることなくいつでもメールを受信することができるという点で、コンピュータを用いた従来のインターネットメールサービスよりも優れている。
【０００５】
しかし、この携帯電話メールサービスは、携帯電話ＭＳからのアクセスのみをサポートしており、海外など移動パケット通信網の圏外からは、メールを送受信することができなかった。
一方、移動パケット通信網の外部にメールサーバを設置することにより、インターネットＩＮＥＴに接続されたコンピュータと、携帯電話ＭＳとの両方からメールを送受信可能とするサービスも行われている。この場合には、携帯電話ＭＳが圏外であっても、インターネットＩＮＥＴに接続したコンピュータによって当該メールサーバにアクセスすることにより、メールを送受信することができる。しかし、このサービスの場合、当該メールサーバのメールボックスと移動パケット通信網の連携した動作は不可能であり、メールボックスにメールが着信しても、携帯電話ＭＳにその通知を行うことはできない。
【０００６】
本発明の目的は、メールボックスへのメール着信を携帯電話機に通知する、という携帯電話メールサービスならではの長所を残しつつ、海外など、移動パケット通信網の圏外からもメールボックスへのアクセスを可能とするメール送受信制御方法、メールサーバ、認証課金サーバ、通信装置、及び、データ変換プログラムを提供することにある。
【０００７】
【課題を解決するための手段】
本発明の請求項１によるメールシステムは、移動機宛に送信されたメールをメール蓄積装置と、該メール蓄積装置に移動機宛のメールを受信すると、当該移動機にメールの受信を通知する通知手段と、をメールサーバに備え、前記通知手段による通知に基づき、受信したメールを前記メール蓄積装置から取得する移動機メール取得手段を移動機に備える移動機のメールシステムにおいて、前記メールサーバとインターネット経由で接続される通信装置は、前記メールサーバに蓄積される移動機宛のメールの取得要求を送信する取得要求送信手段と、前記メールの取得要求送信手段による要求に応じてメールサーバから送信されるメールに関する情報を取得する通信装置メール取得手段と、を備え、前記メールサーバは、前記通信装置から送信される取得要求の受信に応じて、前記メール蓄積装置に蓄積されるメールに関する情報を送信する通信装置向けメール送信手段を備えることを特徴とする。
【０００８】
ここで、メール蓄積装置に蓄積されたメールを通信装置において受信する場合だけでなく、例えば、サイトにおいて閲覧のみが可能である場合等も含み、メールに対応する情報を参照することができるものであればよい。
本発明の請求項２によるメールシステムは、請求項１において、前記メールサーバは、前記移動機へのメールの送信、及び、前記通信装置へのメールに関する情報の送信の双方ともＨＴＴＰプロトコルに従って行うことを特徴とする。
【０００９】
本発明の請求項３によるメールシステムは、請求項１又は２において、前記インターネットに接続された通信装置からのメールの参照に対応して通信料の課金を行なう課金ステップを、更に、含むことを特徴とする。
【００１０】
本発明の請求項４によるメールシステムは、請求項１〜３のいずれか１項において、前記通信装置へのメールに関する情報の送信に対応して通信料の課金を行なう課金手段を、更に、含むことを特徴とする。
【００１１】
本発明の請求項５によるメールサーバは、請求項１〜４のいずれか１項に記載のメールシステムにおいて用いられるメールサーバであって、前記メールを蓄積するメール蓄積装置と、前記メールの受信を通知する通知手段と、前記通信装置にメールに関する情報を送信する通信装置向けメール送信手段と、を有することを特徴とする。
本発明の請求項６による認証課金サーバは、請求項１〜４のいずれか１項に記載のメールシステムにおいて用いられるサーバであって、前記メールの取得要求を送信した通信装置が前記メールを参照する権限を有するか否かの認証を行なう認証手段、有することを特徴とする。
【００１２】
本発明の請求項７による認証課金サーバは、請求項６において、前記通信装置へのメールに関する情報の送信に対応して通信料の課金を行なう課金手段を、更に、有することを特徴とする。
【００１３】
本発明の請求項８による通信装置は、請求項１〜４のいずれか１項に記載のメールシステムにおいて用いられる通信装置であって、前記メールサーバとインターネット経由で接続され、前記メールサーバに蓄積される移動機宛のメールの取得要求を送信する取得要求送信手段と、前記メールの取得要求送信手段による要求に応じてメールサーバから送信されるメールに関する情報を取得する通信装置メール取得手段と、を備えることを特徴とする。
本発明の請求項９による通信装置は、請求項８において、前記通信装置メール取得手段により取得したメールに関する情報を正常に参照することができるようにデータを変換する変換手段を、更に、含むことを特徴とする。
【００１４】
本発明の請求項１０にかかるデータ変換プログラムは、請求項１〜４のいずれか１項に記載のメールシステムにおいて用いられるプログラムであって、前記取得要求がなされたメールを前記通信装置において正常に参照することができるようにデータを変換する変換ステップを、含むことを特徴とする。
本請求項にかかるデータ変換プログラムは、請求項１〜４のいずれか１項に記載のメールシステムにおいて用いられる前記メールサーバ、前記認証課金サーバ、及び、前記通信装置のいずれかの装置において、動作するものである。
本発明の請求項１１によるデータ変換プログラムは、請求項１０において、前記変換ステップにおいては、前記移動機におけるメールの参照と同様に、前記通信装置においてメールを参照することができるようにデータを変換することを特徴とする。
【００１５】
【発明の実施の形態】
次に、図面を参照して本発明の実施の形態について説明する。なお、以下の説明において参照する各図においては、他の図と同等の部分が同一符号によって示されている。
本実施の形態における携帯電話メールシステムの構成が、図１に示されている。同図に示されているように、携帯電話メールシステムは、移動パケット通信網と、ゲートウェイサーバＧＷと、認証・課金サーバ２と、インターネットＩＮＥＴと、通信回線４を介してインターネットＩＮＥＴに接続するコンピュータＰＣと、によって実現される。
【００１６】
移動パケット通信網は、［従来の技術］の項で説明したように、携帯電話ＭＳと無線通信する基地局ＢＳと、図示せぬパケット交換機と、ゲートウェイサーバＧＷと、を含んで構成され、携帯電話ＭＳにおいてデータ通信を行なうためのものである。
ゲートウェイサーバＧＷは、［従来の技術］の項で説明したような機能に加えて、図２に示されるような構成をとって、コンピュータＰＣからのメールの参照を可能にする。ゲートウェイサーバＧＷは、同図に示されるように、システム制御部１１と、電子メール管理部１２と、メールボックス１３と、を含んで構成され、移動パケット通信網におけるメールサーバとしての機能を有する。
【００１７】
システム制御部１１は、携帯電話ＭＳに接続し、携帯電話ＭＳからのメールの送信要求に基づいて、メールボックス１３に蓄積されたメールを送信するように制御する。更に、本実施の形態においては、インターネットＩＮＥＴ上のコンピュータＰＣとの接続機能を有し、コンピュータＰＣからのメールの送信要求に基づいて、メールボックス１３に蓄積されたメールを送信するように制御する。
【００１８】
電子メール管理部１２は、システム制御部１１において受信したメールの送信要求に基づいて、メールボックス１３から特定のメールを取り出し、システム制御部１１に引き渡す。
メールボックス１３は、携帯電話ＭＳのユーザ毎に設けられ、各ユーザ宛のメールを蓄積している。上述のように、本実施の形態において蓄積されるメールには、移動パケット通信網においてやり取りされるメールだけでなく、インターネットから送信された携帯電話ＭＳ宛のメールも含んでいる。
【００１９】
認証・課金サーバ２は、本実施の形態においては、ゲートウェイサーバＧＷとインターネットＩＮＥＴとの間に設置され、インターネットＩＮＥＴ上のコンピュータＰＣからゲートウェイサーバＧＷへの接続の制御を行う。認証・課金サーバ２の構成は、図３に示されている。同図に示されるように、認証・課金サーバ２は、システム制御部２１と、課金部２２と、認証部２３と、を含んで構成される。
【００２０】
システム制御部２１は、ゲートウェイサーバＧＷとの接続機能と、インターネットＩＮＥＴとの接続機能を有しインターフェースとなって、ゲートウェイサーバＧＷ及びコンピュータＰＣからの接続に応じた処理を行なうように認証部２３及び課金部２２を制御する。
認証部２３は、インターネットＩＮＥＴに接続するコンピュータＰＣからのメールの送信要求に対し、そのコンピュータＰＣがゲートウェイサーバＧＷに蓄積されるメールを参照する権限を有するか否かの認証を行なう機能を有する。
【００２１】
課金部２２は、コンピュータＰＣによってメールが参照時に、通過するパケット量、あるいは、コンピュータＰＣからの接続時間を集計し、このパケット量・接続時間に対応して通信料の課金を行なう機能を有する。
インターネットＩＮＥＴは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）によるパケット通信をベースとする共通のネットワークプロトコルによって、世界中のコンピュータを相互接続したネットワークである。ネットワーク内においては、電子メールの送受信、ＨＴＴＰを用いたＨＴＭＬデータ等の送受信によるＷＥＢページの閲覧等が可能になっている。
【００２２】
コンピュータＰＣは、図４に示されるように、通信部３１と、処理部３２と、入出力部３３と、を含んで構成される。
通信部３１は、電話回線、専用回線等の通信回線４に接続し、ＴＣＰ／ＩＰを用いたインターネット上でのデータの送受信を行なうための機能を有する。
処理部３２は、通信部３１、入出力部３３を制御して、ゲートウェイサーバＧＷに対してメールの送信要求を行い、送信要求に対する応答データを受信して、メールボックスに蓄積されているメールを入出力部３３に表示する。本実施の形態においては、処理部３２は、リクエストとそれに対するレスポンスによって必要なデータを送受信するＨＴＴＰ通信によって、メールを参照するために必要なデータを送受信する。このように、携帯電話によってメールを送受信する時と同様の通信プロトコルを用いることにより、ゲートウェイサーバＧＷにおいて特別なプロトコル変換処理等を行なうことなく、携帯電話にメールを送信する場合と同様にメールの送信を行なうことができる。更に、処理部３２は、通信部３１において受信するゲートウェイサーバＧＷ、携帯電話ＭＳで予め定められたマークアップ言語により記述されたデータに基づいて、携帯電話ＭＳでのメールサービスと類似したユーザインタフェースにて表示する処理を行なう。このようなマークアップ言語を解釈し、表示処理を実行するプログラムをコンピュータＰＣに実装する代わりに、ゲートウェイサーバＧＷにおいて蓄積するデータの変換処理を行なってもよい。例えば、ＨＴＭＬ言語によって記述することにより、コンピュータＰＣにおいては、通常のブラウザを用いて表示することができる。
【００２３】
入出力部３３は、キーボード入力等によるユーザの指示入力を受付けて処理部３２に出力するとともに、処理部３２から入力されるデータをディスプレイ装置等に出力する機能を有する。本実施の形態においては、ユーザによるＩＤ・パスワードの入力を伴ったメールの送信要求を受け、文字や画像等のデータを含むメールを出力する。
【００２４】
コンピュータＰＣ、通信回線４の種類、及び、それらの接続形態等は、特に限定されるものではなく、インターネットに接続して、ゲートウェイサーバＧＷに対するメールの送信要求を行い、応答データを受信してメールボックスに蓄積されたメールを参照可能であればよい。例えば、パーソナルコンピュータとモデムとを用いて電話回線に接続してもよいし、ＬＡＮ（ローカルエリアネットワーク）に接続された個人端末からサーバを介してインターネットに接続してもよい。
【００２５】
次に、本実施の形態の携帯電話メールシステムにおいて、インターネットに接続されたコンピュータＰＣから携帯電話ＭＳ宛に送信されたメールを受信するまでのフローについて説明する。図５には、メールの送受信におけるゲートウェイサーバＧＷ、認証・課金サーバ２、及び、コンピュータＰＣ間の通信シーケンスが示されている。
【００２６】
同図のステップＳ４００においては、図９を参照して説明したように、携帯電話宛に送信されたメールが蓄積されている。上述のように、メールの蓄積を契機として携帯電話にはメールの着信が通知され、携帯電話がメールの受信可能な状態にある場合には自動的にメール受信が行なわれる。しかし、メールの着信通知がなされた時点で携帯電話が圏外にある場合などには、メールが携帯電話に送信されることなくゲートウェイサーバＧＷに蓄積されたままとなる。
【００２７】
図５のステップＳ４０１においては、コンピュータＰＣをインターネットＩＮＥＴ経由で認証・課金サーバ２に接続し、ゲートウェイサーバＧＷに蓄積されているメールを受信するための認証要求を行なう。
同図のステップＳ４０２においては、認証・課金サーバ２による認証が行なわれる。認証時の認証・課金サーバ２の動作については、後述する。この認証が成立した場合（ステップＳ４０４）には、コンピュータＰＣからゲートウェイサーバＧＷに対して接続の要求が行なわれて（ステップＳ４０５）、ゲートウェイサーバＧＷからの接続応答（ステップＳ４０６）によって接続が完了する。接続が完了すると、コンピュータＰＣからのメールの取得要求がなされる（ステップＳ４０７）。ゲートウェイサーバＧＷは、メールの取得要求に応答して、メールボックス内に蓄積されたメールを送信する。メールの送信後にゲートウェイサーバＧＷに依然蓄積されているメールは、コンピュータＰＣからの正常受信の応答信号が返された場合（ステップＳ４０９）に、削除される（ステップＳ４１０）。正常に受信できなかった場合は、再接続のためにメールは蓄積されたままにしておくが、正常に受信された場合にも、ユーザの設定等により削除せずに残しておくこととしてもよい。
【００２８】
以上のようなフローにより、携帯電話ＭＳ宛のメールをコンピュータＰＣにおいて参照することができる。なお、同様に、コンピュータＰＣからゲートウェイサーバＧＷへのアクセスにより、コンピュータＰＣから送信すべきメールをゲートウェイサーバＧＷに送信し、当該ゲートウェイサーバＧＷから宛先へメールを送信するようにしてもよい。これにより、圏外で携帯電話によりメールが送信できない場合も、コンピュータＰＣにおいてメールを作成し、ゲートウェイサーバＧＷを利用して、メールを転送することができる。
【００２９】
図６のフローチャートには、認証・課金サーバ２の認証動作が示されている。図６のステップＳ１０１においては、システム制御部において、上記フローのようにコンピュータＰＣから認証要求を受信し、その接続種別の判別を行なう。この接続種別は、セッション、すなわちリクエストとそれに対するレスポンスとからなる手続きが、携帯電話ＭＳから開始されたものであるか、コンピュータＰＣ側から開始されたものであるか、の区別である。本実施の形態におけるゲートウェイサーバＧＷは、上述のように、コンピュータＰＣからアクセスされるだけでなく、携帯電話ＭＳ側からインターネットＩＮＥＴに接続する場合にもプロトコル変換等を行なうために接続される。このため、ゲートウェイサーバＧＷとインターネットＩＮＥＴとの間に設置された認証・課金サーバ２においては、コンピュータＰＣ及び携帯電話ＭＳの双方からのデータが通過する。接続種別が、携帯電話ＭＳからセッションが開始されたものと判断された場合（ＧＷ→ＩＮＥＴ）には、認証を行なうことなく携帯電話ＭＳはそのままインターネットＩＮＥＴに接続される。これにより、携帯電話ＭＳからの接続時には、認証・課金サーバ２を間に設置しても、ゲートウェイサーバＧＷとインターネットＩＮＥＴとが論理的に直接接続された状態とすることができる。一方、コンピュータＰＣからセッションが開始されたものと判断された場合（ＩＮＥＴ→ＧＷ）には、ステップＳ１０２に移行する。
【００３０】
ステップＳ１０２においては、認証部が認証を行なう。この認証においては、例えば、メールの送信要求時にコンピュータＰＣから入力されたＩＤ及びパスワードが、あらかじめメールを受信する権限を有するユーザ、コンピュータＰＣに付与されたものであるか否か、判断する。
ステップＳ１０２において認証が成立した場合（ＯＫ）には、コンピュータＰＣとゲートウェイサーバＧＷとの接続が行なわれる（ステップＳ１０３）。この通信の許容状態は、コンピュータＰＣがゲートウェイサーバＧＷからメールの取得を完了するまで維持される。
【００３１】
一方、ステップＳ１０２において認証不成立の場合（ＮＧ）には、コンピュータＰＣとの認証・課金サーバ２との接続が切断される（ステップＳ１０４）。
図７は、認証課金サーバの課金動作を示すフローチャートである。同図のステップＳ２０１においても、上述のように、ネットワークとのインターフェースとなるシステム制御部が、接続種別の判断を行なう。セッションがコンピュータＰＣより開始されたと判断された場合（ＩＮＥＴ→ＰＣ）には、通過するパケット量を集計し、パケット量に応じて通信料を課金する。セッションが携帯電話ＭＳより開始されたと判断された場合（ＧＷ→ＩＮＥＴ）には、課金処理は行なわない（ステップＳ２０３）。
【００３２】
【発明の効果】
以上詳細に説明したように、インターネットに接続された通信装置から移動パケット通信網のメール蓄積装置にメールの送信を要求し、当該要求に応答してメールを参照可能とすることにより、移動パケット通信網の圏外に滞在している場合においても、インターネットに接続されたコンピュータから、メールボックスにアクセスすることが可能となり、ＶＨＥ（Ｖｉｒｔｕａｌ  Ｈｏｍｅ  Ｅｎｖｉｒｏｎｍｅｎｔ）が実現される。また、従来の携帯電話におけるメール受信システムを変更することなく、インターネット等の異なる通信網を用いて受信する方法を用いることにより、必要に応じてインターネットに接続して携帯電話における受信と同様のサービスを受けることができる。更に、携帯性に優れ、即時にメール受信を通知する仕組みを有する移動パケット通信網と、全世界的に普及し、接続容易なインターネットとを組み合わせることにより、よりメールの情報性、便宜性を高めることができる。
【図面の簡単な説明】
【図１】本実施の形態にかかる携帯電話メールシステムの構成を説明する図である。
【図２】本実施の形態にかかるゲートウェイサーバの構成を説明するブロック図である。
【図３】本実施の形態にかかる認証・課金サーバの構成を説明するブロック図である。
【図４】本実施の形態にかかるコンピュータの構成を説明するブロック図である。
【図５】本実施の形態にかかる携帯電話メールシステムにおけるゲートウェイサーバ、認証・課金サーバ、及び、コンピュータ間の通信シーケンスを示す図である。
【図６】認証・課金サーバの認証動作を説明するフローチャートである。
【図７】認証・課金サーバの課金動作を示すフローチャートである。
【図８】従来の携帯電話メールシステムの構成を説明する図である。
【図９】従来の携帯電話メールシステムにおける通信シーケンスである。
【符号の説明】
４      通信回線
１１    システム制御部
１２    電子メール管理部
１３    メールボックス
２１    システム制御部
２２    課金部
２３    認証部
３１    通信部
３２    処理部
３３    入出力部
ＢＳ    基地局
ＧＷ    ゲートウェイサーバ
ＩＮＥＴ        インターネット
ＭＳ    携帯電話
ＰＣ    コンピュータ
【図１】
0003667718.tif 000002
【図２】
0003667718.tif 000003
【図３】
0003667718.tif 000004
【図４】
0003667718.tif 000005
【図５】
0003667718.tif 000006
【図６】
0003667718.tif 000007
【図７】
0003667718.tif 000008
【図８】
0003667718.tif 000009
【図９】
0003667718.tif 000010